(57)【特許請求の範囲】
【請求項１】
ユーザが携帯可能な装置である移動装置に備えられるディスプレイモジュールであって、
前記ディスプレイモジュールの内容表示区域内に位置して、前記移動装置の環境光データを採取可能な光センサと、
両端がそれぞれ前記光センサ及び前記移動装置の処理部品に接続され、前記光センサによって採取されたデータを前記処理部品に伝送できるデータ伝送線路と、
導電層が複数の電極を含み、且つ前記複数の電極が所定のパターンによって配置されているタッチスクリーン構成とを含み、
前記光センサの前記ディスプレイモジュールの前表面に対して垂直な方向である垂直方向の投影像は前記複数の電極の間に形成された隙間区域の前記垂直方向の投影像内に位置し、
更に、ＬＣＤ表示モジュールを含み、
前記光センサの垂直方向の投影像は前記ＬＣＤ表示モジュールのサブ画素のＢＭ区域の垂直方向の投影像内に位置することを特徴とするディスプレイモジュール。
【請求項２】
前記光センサは透明材料でできていることを特徴とする請求項１に記載のディスプレイモジュール。
【請求項３】
更に、ガラスパネルを含み、且つ前記タッチスクリーン構成は前記ガラスパネル及び前記ＬＣＤ表示モジュールの間に位置し、
前記光センサは前記タッチスクリーン構成の中に位置し、又は前記タッチスクリーン構成と前記ガラスパネルの間に位置し、又は前記タッチスクリーン構成と前記ＬＣＤ表示モジュールの間に位置することを特徴とする請求項１に記載のディスプレイモジュール。
【請求項４】
更に、ガラスパネルを含み、且つ前記タッチスクリーン構成は前記ＬＣＤ表示モジュールにはめ込み、
前記光センサは前記タッチスクリーン構成の中に位置することを特徴とする請求項１に記載のディスプレイモジュール。
【請求項５】
前記ディスプレイモジュールは複数の光センサを含み、前記複数の光センサは均等に配置されることを特徴とする請求項１に記載のディスプレイモジュール。
【請求項６】
請求項１乃至請求項５のいずれかに記載の移動装置のディスプレイモジュールを備えることを特徴とする移動装置。
【発明の詳細な説明】
【技術分野】
【０００１】
本発明は端末の技術分野に関し、特に移動装置のディスプレイモジュール及び移動装置に関する。
【背景技術】
【０００２】
関連技術において、移動装置にはよく光センサが設置されており、移動装置の環境光を採取することで、移動端末のディスプレイの光度を合理的に調整し、デバイスの電量を節約できるだけでなく、ユーザに閲読のための合理的な光度を提供する。
【発明の概要】
【０００３】
関連技術における不足点を解決するため、本発明は移動装置のディスプレイモジュール及び移動装置を提供する。
【０００４】
本発明の実施例の第１の態様によれば、
ディスプレイモジュールの内容表示区域内に位置して、移動装置の環境光データを採取できる光センサと、
両端がそれぞれ前記光センサ及び前記移動装置の処理部品に接続され、前記光センサによって採取されたデータを前記処理部品に伝送できるデータ伝送線路とを含む移動装置のディスプレイモジュールを提供する。
【０００５】
好ましくは、更に、導電層が複数の電極を含み、且つ前記複数の電極が所定のパターンによって配置されているタッチスクリーン構成を含み、
前記光センサの垂直方向の投影像は前記複数の電極の間に形成された隙間区域の垂直方向の投影像内に位置する。
【０００６】
好ましくは、前記光センサは透明材料でできている。
【０００７】
好ましくは、更に、ガラスパネル及びＬＣＤ表示モジュールを含み、且つ前記タッチスクリーン構成は前記ガラスパネル及び前記ＬＣＤ表示モジュールの間に位置し、
前記光センサは前記タッチスクリーン構成の中に位置し、又は前記タッチスクリーン構成と前記ガラスパネルの間に位置し、又は前記タッチスクリーン構成と前記ＬＣＤ表示モジュールの間に位置する。
【０００８】
好ましくは、更に、
ガラスパネル及びＬＣＤ表示モジュールを含み、且つ前記タッチスクリーン構成は前記ＬＣＤ表示モジュールにはめ込み、
前記光センサは前記タッチスクリーン構成の中に位置する。
【０００９】
好ましくは、更に、
ＬＣＤ表示モジュールを含み、
前記光センサの垂直方向の投影像は前記ＬＣＤ表示モジュールのサブ画素のＢＭ区域の垂直方向の投影像内に位置する。
【００１０】
好ましくは、前記ディスプレイモジュールは複数の光センサを含み、前記複数の光センサは均等に配置される。
【００１１】
本発明の実施例の第２の態様によれば、上記のいずれか一つの実施例に記載の移動装置のディスプレイモジュールを備える移動装置を提供する。
【００１２】
本発明の実施例が提供する技術案は下記のような有益な効果を含むことができる。
【００１３】
上記実施例から分かるように、本発明は光センサを移動装置のディスプレイモジュールに設置することを通じて、一方で、移動装置のパネル上に孔を空ける必要がなくなり、パネルの強度と見栄えを損なうことを避け、もう一方では、光センサとディスプレイモジュールの間の距離を解消して、光センサによって検出された環境光の状況がディスプレイモジュールの実際の表示要求により合致するようにした。さらに、孔の大きさの制限要素を考慮する必要がないので、光センサのディスプレイモジュールにおいてのより大きい光採取角度を確保でき、角度問題による光線採取が不正確である状況の回避に役立つ。
【００１４】
また、一般的な説明及び以下の詳細な説明は単なる例示及び解釈に過ぎず、本発明を限定するものではないことを理解すべきである。
【図面の簡単な説明】
【００１５】
本願の図面は明細書に取り込まれて明細書の一部を構成し、本発明に合致する実施例を示し、また、明細書と共に本発明の原理の解釈に用いられる。
【図１】関連技術における移動装置のディスプレイモジュールの構成の模式図である。
【図２】本発明の一つの例示的な実施例にかかる移動装置のディスプレイモジュールの構成の模式図である。
【図３】本発明の一つの例示的な実施例にかかる他の移動装置のディスプレイモジュールの構成の模式図である。
【図４】本発明の一つの例示的な実施例にかかる移動装置のディスプレイモジュールのタッチスクリーン構成の一部拡大模式図である。
【図５】本発明の一つの例示的な実施例にかかる他の移動装置のディスプレイモジュールのタッチスクリーン構成の一部拡大模式図である。
【図６】本発明の一つの例示的な実施例にかかる移動装置のディスプレイモジュールのレイヤ構成の模式図である。
【図７】本発明の一つの例示的な実施例にかかる他の移動装置のディスプレイモジュールのレイヤ構成の模式図である。
【図８】本発明の一つの例示的な実施例にかかる移動装置のディスプレイモジュールのカラーフィルタの一部拡大模式図である。
【発明を実施するための形態】
【００１６】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００１７】
図１は関連技術における移動装置のディスプレイモジュールの構成の模式図である。図１に示すように、関連技術においては、移動装置のディスプレイモジュールに孔を空ける（通常は図１に示される位置に位置する、即ち例えば受話器１１の両側のような、ディスプレイモジュールの内容表示区域１０の上方に位置する）必要があり、その後光センサ１を該孔に対応する位置に取り付けて、光センサ１は該孔を通じて移動装置の環境光状況を感知する。
【００１８】
しかしながら、関連技術の上記方法には下記のような多くの問題が存在する。１、移動装置のディスプレイモジュールに孔を空けており、移動装置の一体性を損ない、移動装置のディスプレイモジュールの強度を低下させている。２、移動装置のディスプレイモジュールに空かれた孔は、移動装置の見栄えを悪くしている。３、光センサ１の機能の需要を満足させると同時に、孔を空けることによる影響をできるだけ低減させるため、孔の口径は制限されている。従って、光センサ１が光の検出を実行する際、光の入射角度の影響を大きく受けてしまい、移動装置がディスプレイの光度を調整するとき、よく環境光の変化に適切に合わせることができず、ユーザの使用体験に影響を与えている。４、ディスプレイの光度調整は直接内容表示区域１０に対する光度調整であるが、光センサ１と内容表示区域１０の間には一定の間隔があり、光センサ１によって採取された環境光状況は必然的に内容表示区域１０の実際の状況と一定の差がある。従って、移動端末のディスプレイの光度の調整効果が悪くなっていた。
【００１９】
従って、関連技術に存在する技術問題を解決するため、本発明は移動装置のディスプレイモジュールの構成を改良した。
【００２０】
図２は本発明の一つの例示的な実施例にかかる移動装置のディスプレイモジュールの構成の模式図である。図２に示すように、該ディスプレイモジュールは、
前記ディスプレイモジュールの内容表示区域１０内に位置して、移動装置の環境光データを採取できる、光センサ１と、
両端がそれぞれ前記光センサ１及び前記移動装置の処理部品３に接続され、前記光センサ１によって採取されたデータを前記処理部品３に伝送できる、データ伝送線路２とを含むことができる。
【００２１】
本実施例において、内容表示区域１０とは、例えばディスプレイモジュールに対応するＬＣＤ表示モジュール（図示せず）のＶＡ区域（Ｖｉｅｗ  Ａｒｅａ、可視区域）のような、ディスプレイモジュールにおいて内容表示機能を実現するための区域である。
【００２２】
本実施例において、光センサ１を移動装置のディスプレイモジュールの内容表示区域１０に設置することを通じて、光センサ１が直接、間隔を持たずに内容表示区域１０の環境光を採取できるようにし、環境光状況に対する光センサ１の検出精度の向上に役立った。
【００２３】
同時に、内容表示区域１０は透明構成であるため、移動装置のパネルに孔を空ける必要もなく、光センサ１は移動装置の環境光を直接採取でき、移動装置のディスプレイモジュールの強度と見栄えを損なうことを避けた。
【００２４】
また、光センサ１は直接ディスプレイモジュールにおける内容表示区域１０のところのガラスパネルを透過して、移動装置の環境光を検出するため、採取された光は孔の口径に制限されることがなく、角度面における遮蔽又は制限の問題が存在しない。従って、採取された環境光状況が移動装置の実際の状況により合致するようにし、これにより移動装置がディスプレイの光度を更に精確に調整できるようにした。
【００２５】
１、光センサ１の数
本発明の技術案において、光センサ１の数に対して制限しておらず、実際のニーズに合わせて、移動装置のディスプレイモジュール内に任意の数の光センサ１を設置することができる。
【００２６】
一つの例示的な実施例として、移動装置のディスプレイモジュール内に複数の光センサ１を設置してもよい。図３に示すように、複数の光センサ１を内容表示区域１０の中に均等に配置することができ、これにより、移動装置の環境光状況に対する採取を全面的で緻密に実現する。ここで、光センサ１それぞれは対応するデータ伝送線路２を介して処理部品３に接続する。
【００２７】
説明しなければいけないのは、本発明の処理部品３は、例えばＭＣＵ（Ｍｉｃｒｏｃｏｎｔｒｏｌｌｅｒ  Ｕｎｉｔ、マイクロコントローラ）チップのような単体のプロセス・チップであっても、処理機能を実行する複数の部品から構成されたモジュールであってもよく、本発明はこれについて限定しない。
【００２８】
２、光センサ１とタッチスクリーン構成４
図４は本発明の一つの例示的な実施例にかかる移動装置のディスプレイモジュールのタッチスクリーン構成の一部拡大模式図である。図４に示すように、ディスプレイモジュールは更に、
導電層が複数の電極を含み、且つ該複数の電極が所定のパターン（ｐａｔｔｅｒｎ）によって配置されているタッチスクリーン構成４を含むことができる。例えば、図４において、複数の菱形電極は順次交差的に排列され、ここで、一種類の電極４１（図４において真っ黒になっている）は横列に沿って排列され且つ水平方向における隣接する電極の間は二つずつ接続しており、他の種類の電極４２（図４において斜めストライプになっている）は縦列に沿って排列され且つ垂直方向における隣接する電極の間は二つずつ接続している。
【００２９】
ここで、光センサ１の垂直方向の投影像は該複数の電極の間に形成された隙間区域の垂直方向の投影像内に位置する。言い換えれば、光センサ１は複数の電極の間の隙間区域に位置するが、光センサ１は導電層と同じ階層に位置する可能性もあれば、異なる階層に位置する可能性もある。該実施例において、タッチスクリーン構成４の導電層の機能に対する光センサ１の影響を回避でき、且つディスプレイモジュールを生産加工するプロセスにおいても、導電層と光センサ１に対する加工設置をそれぞれ実現するために役立つ。
【００３０】
当然ながら、図４に示される菱形電極と排列方法は、本発明が例示する一つのパターン（ｐａｔｔｅｒｎ）に過ぎず、当業者は実際のニーズに基づいて、任意形式のパターン（ｐａｔｔｅｒｎ）を設計し採用することができ、「光センサ１の垂直方向の投影像が該複数の電極の間に形成された隙間区域の垂直方向の投影像内に位置する」という要件のみ満たせば、全て本発明の技術案に適用することができる。例えば、図５には他のパターン（ｐａｔｔｅｒｎ）が示されており、これには帯状の水平に設置された電極４３及び垂直に設置された電極４４が含まれ、光センサ１を電極４３、電極４４の間に形成された隙間区域内に設置することができる。
【００３１】
３、光センサ１の設置位置
関連技術には、多くの種類の異なる様式のディスプレイモジュールがあって、光センサ１も異なる設置位置に位置する可能性がある。下記において、その中のいくつかの種類の可能な設置案を例として、本発明の技術案を説明する。
【００３２】
一つの例示的な実施例として、図６に示すように、移動装置のディスプレイモジュールは「外掛式」構成であってよく、即ち、タッチスクリーン構成４はガラスパネル５とＬＣＤ表示モジュール６の間に設置され、該「外掛式」構成は、例えばＧＧ型、ＧＧ２型、ＯＧＳ型、ＧＩＦ型、ＧＦＦ型、ＧＦ２型、ＧＦ型等を含むことができ、いずれも本発明の技術案に適用される。従って、光センサ１は下記の設置方法がある。
【００３３】
１）光センサ１Ａは、タッチスクリーン構成４とガラスパネル５の間に設置される。例えば、光センサ１Ａをタッチスクリーン構成４の表面又はガラスパネル５の底面に設置した後、タッチスクリーン４とガラスパネル５を接着させ、光センサ１Ａは両者間の接着層の中に位置する。
【００３４】
２）光センサ１Ｂは、タッチスクリーン４の中に設置され、タッチスクリーン構成４とガラスパネル５の間の接着操作への影響を回避することができる。
【００３５】
３）光センサ１Ｃは、タッチスクリーン構成４とＬＣＤ表示モジュール６の間に設置される。例えば、光センサ１Ｃをタッチスクリーン構成４の底面又はＬＣＤ表示モジュール６の表面に設置した後、タッチスクリーン４とＬＣＤ表示モジュール６を接着させ、光センサ１Ｃは両者間の接着層の中に位置する。
【００３６】
他の例示的な実施例として、図７に示すように、移動装置のディスプレイモジュールは「はめ込み式」構成であってよく、即ち、タッチスクリーン構成４はＬＣＤ表示モジュール６に嵌め込まれ、該「はめ込み式」構成は、Ｏｎ−ｃｅｌｌ型、Ｉｎ−Ｃｅｌｌ型等を含むことができる。従って、光センサ１はタッチスクリーン構成４の中に設置されることができる。
【００３７】
４、光センサ１とＬＣＤ表示モジュール６
一つの例示的な実施例として、光センサ１は透明材料でできてもよく、これにより、ＬＣＤ表示モジュール６の内容表示への影響を回避できる。
【００３８】
他の例示的な実施例として、光センサ１の体積を縮小させることで、ユーザが移動装置を使用する過程において、光センサ１を肉眼では見分けられないようにし、これにより、ＬＣＤ表示モジュール６の内容表示への影響を回避できる。
【００３９】
他の例示的な実施例として、図８に示すように、ＬＣＤ表示モジュール６のカラーフィルタ（図８における一部拡大区域、即ちカラーフィルタの一部の区域を参照、図に表記せず）において、複数の隣接して設置されたサブ画素（即ち、図８の一部拡大区域における、順次隣接して設置された矩形であり、Ｒサブ画素は赤色Ｒｅｄに対応し、Ｇサブ画素は緑色Ｇｒｅｅｎに対応し、Ｂサブ画素は青色Ｂｌｕｅに対応する）が形成され、且つサブ画素それぞれは一つのＢＭ（Ｂｌａｃｋ  Ｍａｔｒｉｘ、ブラックマトリクス）区域６１を含み、該ＢＭ区域は対応するサブ画素の色彩表示に使われないため、光センサ１の垂直方向の投影像がＬＣＤ表示モジュール６のサブ画素のＢＭ区域６１の垂直方向の投影像内に位置されるようにすることができる。これにより、光センサ１の体積が比較的に大きい又は透明材料でできなくても、ＬＣＤ表示モジュール６の内容表示への影響を回避できることは勿論である。
【００４０】
光センサ１の垂直方向の投影像が、タッチスクリーン構成４の導電層に位置する複数の電極間の間隔区域の垂直方向の投影像内に位置するようにすると同時に、ＬＣＤ表示モジュール６のサブ画素のＢＭ区域６１の垂直方向の投影像内に位置するようにして、タッチスクリーン構成４とＬＣＤ表示モジュール６への影響を同時に回避できる。
【００４１】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００４２】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【００４３】
本願は出願番号が２０１５１０２０９６３６．１であって、出願日が２０１５年４月２８日である中国特許出願に基づき、優先権を主張し、当該中国特許出願の全ての内容を本願に援用する。
【図１】
0006510638.tif 000002
【図２】
0006510638.tif 000003
【図３】
0006510638.tif 000004
【図４】
0006510638.tif 000005
【図５】
0006510638.tif 000006
【図６】
0006510638.tif 000007
【図７】
0006510638.tif 000008
【図８】
0006510638.tif 000009